(57)【要約】      （修正有）【課題】自動車のルームランプの小型電球を手軽にＬＥＤに交換できるルームランプ用ＬＥＤ照明装置を提供する。【解決手段】自動車のルームランプのケースＡにセットできる板状のベースと、ベースの表面に取り付けられた多数のＬＥＤ素子２と、ベースの裏面に取り付けられた回路基板と、回路基板に固定されて回路基板の後方に突出する接続基板を備えている。ベースはケースの前面からのケース内にセットできる形状及びサイズであり、接続基板は回路基板に直に取り付けられて回路基板の後方に突出しており、ケースＡに装備されているソケットに差し込んで取り付けると、接続基板の接続端子がソケットの電極と電気的に接続可能である。【選択図】図１
0003207701.tif 000002
【実用新案登録請求の範囲】
【請求項１】
自動車のルームランプのケース内に装備可能なＬＥＤ照明装置において、
前記ケースにセットできる板状のベースと、ベースの表面に取り付けられた多数のＬＥＤ素子と、ベースの裏面に取り付けられた回路基板と、回路基板に固定されて回路基板の後方に突出する接続基板を備え、
ベースはケースの前面からのケース内にセットできる形状及びサイズであり、
接続基板はケースに装備されているソケットに差し込んで取り付け可能であり、回路基板に直に取り付けられて回路基板の後方に突出しており、当該接続基板の接続端子がソケットの電極と電気的に接続可能である、
ことを特徴とするルームランプ用ＬＥＤ照明装置。
【請求項２】
請求項１記載のルームランプ用ＬＥＤ照明装置において、
ベースがケースの突起外周に被せることのできる開口部を備えている、
ことを特徴とするルームランプ用ＬＥＤ照明装置。
【請求項３】
請求項１又は請求項２記載のルームランプ用ＬＥＤ照明装置において、
ＬＥＤ素子がベースの表面に多数配置固定されており、それらＬＥＤ素子がベース裏面の回路基板に接続されている、
ことを特徴とするルームランプ用ＬＥＤ照明装置。
【考案の詳細な説明】
【技術分野】
【０００１】
本考案は、自動車、或いは、軽トラック、軽バン、軽乗用車（以下、まとめて「軽自動車」という。）の室内照明（ルームランプ）に関する。
【背景技術】
【０００２】
軽自動車のルームランプには各種形状のものがあるが、軽自動車の販売時に取り付けられているルームランプ（純正ルームランプ）の主なものとして図６、図７に示すような形状のものがある。これは、硬質樹脂製のケースＡ内にソケットＢが装備されており、ソケットＢに小型電球が取り付けられ、ケースＡの前面にカバーＣが取付けられている。多くの軽自動車のソケットＢにはＴ１０型ソケットが使用されている。ケースＡは通常、運転席と助手席の間の前方の天井側にネジＤで固定されている。図６においてＥはルームミラーである。（非特許文献１）。
【０００３】
前記ルームランプは小型電球が使用されているため、ケースＡにカバーＣを被せると照明が暗く、室内で細かい文字が読みにくいとか、書きにくいといったことがある。
【０００４】
前記難点を解決するため、前記小型電球をＬＥＤに交換できるＬＥＤ照明具が開発されている。ＬＥＤに交換すると室内が明るくなるが、ＬＥＤ基板を前記ケースＡに取り付けにくいとか、配線が面倒であるといった難点があった。
【先行技術文献】
【非特許文献】
【０００５】
【非特許文献１】http://item.rakuten.co.jp/auc-led/10000233/
【考案の概要】
【考案が解決しようとする課題】
【０００６】
本考案の解決課題は、自動車、特に軽自動車のルームランプの小型電球を手軽にＬＥＤに交換できるルームランプ用ＬＥＤ照明装置を実現することにある。
【課題を解決するための手段】
【０００７】
本考案のルームランプ用ＬＥＤ照明装置は既設のルームランプのケースにセットできる板状のベースと、ベースの表面に取り付けられた多数のＬＥＤ素子と、ベースの裏面に取り付けられた回路基板と、回路基板に固定されて回路基板の後方に突出する接続基板を備えている。ベースはケースの前面からのケースの内側にセットできる形状及びサイズである。接続基板はケースに装備されているソケット（多くは「Ｔ１０型ソケット」である）に差し込んだり、引き抜いたりして脱着可能な形状で、剛性であり、接続基板にソケットと電気的に接続可能な接続端子（電極）が取付けられている。
【考案の効果】
【０００８】
本考案のルームランプ用ＬＥＤ照明装置は、次のような効果がある。
（１）ケースの突起の外側に被さる凹部を備えているのでＬＥＤ照明装置のベースをケースの前面からケース内に手軽にセットすることができる。
（２）接続端子を備えた接続基板が回路基板の裏面後方に突出しているので、接続基板をケースのソケットに差し込むだけで電気的に接続され、リード線の配線が不要であるため取り付け作業が簡易である。また、リード線がないため構成も簡潔であり、ケース内に収まり易い。
（３）回路基板の裏面後方に突出している接続端子をケースのソケットに差し込むことにより、ベースが接続基板で支持されて、ベース裏面とケースの間にスペース（空間）ができるため、その空間内に放熱材を配置して放熱性を高めることもできる。
【図面の簡単な説明】
【０００９】
【図１】本考案のルームランプ用ＬＥＤ照明装置を、ルームランプのケースに装備した状態の説明図。
【図２】本考案のルームランプ用ＬＥＤ照明装置の正面側説明図。
【図３】本考案のルームランプ用ＬＥＤ照明装置を、切欠き部を下向きにした背面側説明図。
【図４】本考案のルームランプ用ＬＥＤ照明装置を、切欠き部を上向きにした背面側説明図。
【図５】本考案のルームランプ用ＬＥＤ照明装置の部分断面図。
【図６】従来のルームランプの説明図。
【図７】従来のルームランプのカバーを取り外した状態の説明図。
【考案を実施するための形態】
【００１０】
（実施形態）
本考案のルームランプ用ＬＥＤ照明装置は、軽自動車に取り付けられている既存のルームランプの小型電球を、ＬＥＤに交換できるようにしたものである。既存のルームランプはケースＡが運転席と助手席の間の天井側にネジＤで固定され、ケースＡ内にソケットＢがあり、ソケットＢに小型電球が脱着可能に装備され、ケースＡの正面開口部にカバーＣが被さっており、スイッチＳＷを左右にスライドさせると小型電球が点灯、消灯するようになっている。ケースＡは硬質樹製のものが多い。
【００１１】
本考案のルームランプ用ＬＥＤ照明装置は、既存のルームランプのケースＡ、ソケットＢ、カバーＣ等をそのまま使用して、小型電球だけをＬＥＤに代えることができるようにしたものである。一例として図１〜図５のルームランプ用ＬＥＤ照明装置は、既設のルームランプのケースＡにセットできる板状のベース１と、ベース１の表面に取り付けた多数のＬＥＤ素子２と、ベース１の裏面に取り付けた回路基板３と、回路基板３に固定されて回路基板３の後方に突出する接続基板４を備えている。
【００１２】
ベース１は金属板であり、ケースＡの前面からケースＡの内側にセットできる形状及びサイズであり、縦溝状の切欠き（縦開口部）５と横長の切欠き（横開口部）６を備えている。縦開口部５はケースＡの前面側に突出している縦突起Ｆの外周に被せることのできサイズであり、横開口部６はケースＡの前面側に突出している横突起Ｇの外周に被せることのできるサイズである。ベース１は可能であれば樹脂板その他の材質製とすることもできる。ベース１は放熱性に優れたアルミ製が望ましい。
【００１３】
ＬＥＤ素子２には既存のＬＥＤ素子を使用することができる。図示したＬＥＤ素子２はベース１の表面に多数取り付けてある。これらＬＥＤ素子２は個々にベース１に取り付けることもできるが、シートやフィルム（以下、これらを「シート」という。）７に貼り付けておき、そのシート７をベース1に貼り付けるなどしてベース1に取り付けることもできる。図示したＬＥＤ素子２はベース１の略前面にほぼ均一間隔で取り付けてあるが、ＬＥＤ素子２の数、配列は任意に設計することができる。
【００１４】
回路基板３はＬＥＤ素子２の配線に使用される汎用の基板に、ＬＥＤ素子２の点灯、消灯に必要な電気回路と電気部品を備えたものである。回路基板３はＬＥＤ素子２とリード線８（図３）で接続されている。
【００１５】
接続基板４は既存のルームランプのソケットＢに、直に差し込んだり引き抜いたりして脱着可能な形状と剛性であり、片面に接続端子（電極）４ａを備えている。電極４ａは回路基板３と電気的に結線されている。既存のルームランプのソケットＢはＴ１０型が多い。図示した接続基板４はＴ１０型に脱着可能なものである。接続基板４は回路基板３に直に取り付けて回路基板３の後方に直角に突設してある。回路基板３への接続基板４の取り付け角度は、ソケットＢに差し込み、取り外し易い角度に設計することができる。電極４ａはソケットＢの電極と電気的に接続可能なものである。接続基板４はソケットＢに差し込んだときに、ベース1を支持できる剛性を備えたものが望ましく、剛性の接続基板４をソケットＢに差し込むことにより、ベース1の裏面とケースＡの間にスペース（空間）が確保される。この空間に放熱材を配置することもできる。放熱材には放熱性に優れた金属、その他の材質製のものを使用することができる。その形状や構造は任意の設計することができる。例えば、放熱フィンを設けたアルミ板やその他の金属板、あるいは板状以外の形状、構造であってもよい。この放熱材はベース1にネジで固定したり放熱性に優れた接着材で接着固定したりすることができる。可能であれば、ベース1に固定することなく、ベース1の裏面とケースＡの間のスペースに挟み込むとか、その他の任意の手段でスペースから外れないようにすることもできる。
【００１６】
（使用例）
本考案のルームランプ用ＬＥＤ照明装置を使用するには次のようにする。
（１）ルームランプのカバーＣを取り外して、小型電球をソケットＢから取り外す。
（２）カバーＣを取り外したケースＡの前面開口部から、ケースＡ内にＬＥＤ照明装置をセットする。この場合、縦開口部５をケースＡの縦突起Ｆの外周に被せ、横開口部６をケースＡの横突起Ｇの外周に被せ、接続基板４をソケットＢに押し込んで装着する。これにより、ＬＥＤ照明装置はソケットＢから外れずケースＡからも外れない。
（３）ケースＡにカバーＣを被せて取り付けを完了する。
【００１７】
前記取り付け完了後は、スイッチＳＷをスライドさせてＬＥＤ素子２を点灯或いは消灯させることができる。
【産業上の利用可能性】
【００１８】
前記実施形態は既存のルームランプのケースＡの形状が図示したものであり、ソケットＢがＴ１０型の場合であるが、本考案のルームランプ用ＬＥＤ照明装置の基本構成は、ケースＡにセットできる形状及びサイズであり、ベース１がケースＡの縦突起Ｆ、横突起Ｇの外周に被せることのできる縦開口部５と横開口部６を備え、ベース１の表面にＬＥＤがあり、ベース１の裏面に回路基板３があり、接続基板４が回路基板３の後方に突出するものである。この基本構成を備えていれば、ケースＡの形状が図示したもの以外であっても、ソケットＢがＴ１０型以外のものであっても、ベース１を図示した以外の形状のケースＡに合わせ、縦開口部５、横開口部６をそのケースＡの縦突起Ｆ、横突起Ｇに合わせ、接続基板４をＴ１０型以外のソケットに合わせて設計すれば、他のルームランプに使用することもできる。
【００１９】
前記実施形態は軽自動車に取り付け済みのルームランプに装着する場合であるが、本発明のルームランプ用ＬＥＤ照明装置は軽自動車に限らず、他の自動車に取り付け済みのルームランプにも使用できる。また、自動車の製造時に装着することもできる。
【符号の説明】
【００２０】
１    ベース
２    ＬＥＤ素子
３    回路基板
４    接続基板
４ａ  接続端子（電極）
５    縦開口部
６    横開口部
７    シート
８    リード線
Ａ    ケース
Ｂ    ソケット
Ｃ    カバー
Ｄ    ネジ
Ｅ    ルームミラー
Ｆ    縦突起
Ｇ    横突起
ＳＷ  スイッチ
【図１】
0003207701.tif 000003
【図２】
0003207701.tif 000004
【図３】
0003207701.tif 000005
【図４】
0003207701.tif 000006
【図５】
0003207701.tif 000007
【図６】
0003207701.tif 000008
【図７】
0003207701.tif 000009